(57)【要約】【課題】ファクシミリ情報に応じた画像の印刷の利便性の向上を図る。【解決手段】情報処理装置１２の第１受信部２４Ｃは、ファクシミリ装置から電話回線を介して外部装置で受信したファクシミリ情報を、外部装置からネットワークを介して受信する。取得部２４Ｄは、ファクシミリ情報の送信先のユーザを識別する宛先情報を取得する。判別部２４Ｅは、予め定めた複数の領域の内、取得した宛先情報によって識別されるユーザの端末装置が現在位置する領域を判別する。第１特定部２４Ｆは、判別した領域に配置された画像形成装置を特定する。転送部２４Ｉは、特定した画像形成装置へファクシミリ情報を転送する。【選択図】図４
2016178541.tif 000002
【特許請求の範囲】
【請求項１】
ファクシミリ装置から電話回線を介して外部装置で受信したファクシミリ情報を、前記外部装置からネットワークを介して受信する第１受信部と、
前記ファクシミリ情報の送信先のユーザを識別する宛先情報を取得する取得部と、
予め定めた複数の領域の内、前記宛先情報によって識別されるユーザの端末装置が現在位置する前記領域を判別する判別部と、
判別した前記領域に配置された画像形成装置を特定する第１特定部と、
特定した前記画像形成装置へ前記ファクシミリ情報を転送する転送部と、
を備える情報処理装置。
【請求項２】
前記ファクシミリ情報は、前記ファクシミリ装置で読取ったファクシミリ画像を含み、
前記第１特定部は、
前記ファクシミリ画像の印刷サイズを検出する検出部と、
判別した前記領域に配置された複数の前記画像形成装置の内、検出した前記印刷サイズの記録媒体に画像を印刷可能な前記画像形成装置を特定する第２特定部と、
を有する、
請求項１に記載の情報処理装置。
【請求項３】
前記ファクシミリ情報は、前記ファクシミリ装置で読取ったファクシミリ画像を含み、
前記第１特定部は、
前記ファクシミリ画像の印刷枚数を検出する検出部と、
判別した前記領域に配置された複数の前記画像形成装置の内、検出した前記印刷枚数の記録媒体の搭載された前記画像形成装置を特定する第２特定部と、
を有する、
請求項１に記載の情報処理装置。
【請求項４】
前記転送部は、
前記宛先情報によって識別されるユーザの前記端末装置に、特定した前記画像形成装置へ前記ファクシミリ情報を転送することを示す転送前情報を送信し、該端末装置から前記転送前情報に対する確認済情報を受信したときに、特定した前記画像形成装置へ前記ファクシミリ情報を転送する、請求項１〜請求項３の何れか１項に記載の情報処理装置。
【請求項５】
特定した前記画像形成装置へ前記ファクシミリ情報を転送したことを示す転送済情報を、前記端末装置へ送信する第１送信部を備える、請求項１〜請求項４の何れか１項に記載の情報処理装置。
【請求項６】
前記ファクシミリ情報を転送した前記画像形成装置へ、印刷実行を指示する印刷指示を送信する第２送信部を備え、
前記第２送信部は、
特定した前記画像形成装置へ前記ファクシミリ情報が転送される前に前記判別部によって判別された前記領域と、該画像形成装置へ前記ファクシミリ情報が転送された後に前記判別部によって判別された前記領域と、が一致する場合に、前記印刷指示を該画像形成装置へ送信する、
請求項１〜請求項５の何れか１項に記載の情報処理装置。
【請求項７】
前記判別部が、予め定めた複数の前記領域の何れの前記領域にも、前記宛先情報によって識別されるユーザの前記端末装置が現在位置しないと判別した場合、
前記第１特定部は、印刷対象の前記画像形成装置の識別情報を前記端末装置から取得し、取得した該識別情報によって識別される前記画像形成装置を特定する、
請求項１〜請求項６の何れか１項に記載の情報処理装置。
【請求項８】
外部装置にネットワークを介して接続された情報処理装置と、前記情報処理装置にネットワークを介して接続される端末装置と、を備えた情報処理システムであって、
前記情報処理装置は、
ファクシミリ装置から電話回線を介して前記外部装置で受信したファクシミリ情報を、前記外部装置から受信する第１受信部と、
前記ファクシミリ情報の送信先のユーザを識別する宛先情報を取得する取得部と、
予め定めた複数の領域の内、前記宛先情報によって識別されるユーザの端末装置が現在位置する前記領域を判別する判別部と、
判別した前記領域に配置された画像形成装置を特定する第１特定部と、
特定した前記画像形成装置へ、前記ファクシミリ情報を転送する転送部と、
特定した前記画像形成装置へ前記ファクシミリ情報を転送したことを示す転送済情報を、前記端末装置へ送信する第１送信部と、
を備え、
前記端末装置は、
前記転送済情報を受信する第２受信部を備えた、
情報処理システム。
【請求項９】
前記端末装置は、
ユーザによる確認操作を受け付ける受付部と、
前記転送済情報を受信してから前記確認操作を受け付けるまでの期間、前記転送済情報の受信を示す受信音の出力および当該端末装置の振動の少なくとも一方を継続するように、音声を出力する音声出力部および当該端末装置を振動させる振動駆動部の少なくとも一方を制御する駆動制御部と、
を備えた、
請求項８に記載の情報処理システム。
【請求項１０】
ファクシミリ装置から電話回線を介して外部装置で受信したファクシミリ情報を、前記外部装置からネットワークを介して受信するステップと、
前記ファクシミリ情報の送信先のユーザを識別する宛先情報を取得するステップと、
予め定めた複数の領域の内、前記宛先情報によって識別されるユーザの端末装置が現在位置する前記領域を判別するステップと、
判別した前記領域に配置された画像形成装置を特定するステップと、
特定した前記画像形成装置へ前記ファクシミリ情報を転送するステップと、
をコンピュータに実行させるプログラム。
【請求項１１】
外部装置にネットワークを介して接続された第１コンピュータに実行させる第１プログラムと、前記第１コンピュータにネットワークを介して接続される第２コンピュータに実行させる第２プログラムと、を含むプログラムであって、
前記第１プログラムは、
ファクシミリ装置から電話回線を介して前記外部装置で受信したファクシミリ情報を、前記外部装置からネットワークを介して受信するステップと、
前記ファクシミリ情報の送信先のユーザを識別する宛先情報を取得するステップと、
予め定めた複数の領域の内、前記宛先情報によって識別されるユーザの端末装置が現在位置する前記領域を判別するステップと、
判別した前記領域に配置された画像形成装置を特定するステップと、
特定した前記画像形成装置へ前記ファクシミリ情報を転送するステップと、
特定した前記画像形成装置へ前記ファクシミリ情報を転送したことを示す転送済情報を、前記第２コンピュータへ送信するステップと、
を前記第１コンピュータに実行させ、
前記第２プログラムは、
前記転送済情報を受信するステップを、前記第２コンピュータに実行させる、
プログラム。
【請求項１２】
ファクシミリ装置から電話回線を介して外部装置で受信したファクシミリ情報を、前記外部装置からネットワークを介して受信するステップと、
前記ファクシミリ情報の送信先のユーザを識別する宛先情報を取得するステップと、
予め定めた複数の領域の内、前記宛先情報によって識別されるユーザの端末装置が現在位置する前記領域を判別するステップと、
判別した前記領域に配置された画像形成装置を特定するステップと、
特定した前記画像形成装置へ前記ファクシミリ情報を転送するステップと、
を含む情報処理方法。
【発明の詳細な説明】
【技術分野】
【０００１】
本発明は、情報処理装置、情報処理システム、プログラム、および情報処理方法に関する。
【背景技術】
【０００２】
ファクシミリ（ＦＡＸ）装置から送信されたファクシミリ情報を、電話回線を介してＦＡＸサーバで受信し、インターネットを介して画像形成装置へ転送する、インターネットＦＡＸサービスが知られている。
【０００３】
例えば、複数のユーザが１つのＦＡＸ番号を共有して使用することで、該ＦＡＸ番号に割当てられた特定の画像形成装置へインターネットを介してファクシミリ情報を転送する。そして、該画像形成装置で、ファクシミリ情報に応じた画像の印刷を行うことが行われている。
【発明の概要】
【発明が解決しようとする課題】
【０００４】
しかし、従来では、ファクシミリ情報を受信して印刷する画像形成装置が特定の画像形成装置に限定されており、ユーザの現在位置やユーザ所望の位置に配置された画像形成装置で、ファクシミリ情報の受信および印刷を行うことが出来なかった。すなわち、従来では、ファクシミリ情報に応じた画像の印刷の利便性が低かった。
【課題を解決するための手段】
【０００５】
上述した課題を解決するために、本発明は、ファクシミリ装置から電話回線を介して外部装置で受信したファクシミリ情報を、前記外部装置からネットワークを介して受信する第１受信部と、前記ファクシミリ情報の送信先のユーザを識別する宛先情報を取得する取得部と、予め定めた複数の領域の内、前記宛先情報によって識別されるユーザの端末装置が現在位置する前記領域を判別する判別部と、判別した前記領域に配置された画像形成装置を特定する第１特定部と、特定した前記画像形成装置へ前記ファクシミリ情報を転送する転送部と、を備える。
【発明の効果】
【０００６】
本発明によれば、ファクシミリ情報に応じた画像の印刷の利便性の向上を図ることができる、という効果を奏する。
【図面の簡単な説明】
【０００７】
【図１】図１は、情報処理システムの一例を示す図である。
【図２】図２は、受信通知メールのデータ構成の一例を示す図である。
【図３】図３は、画像形成装置の実際の配置の一例を示す模式図である。
【図４】図４は、情報処理装置の機能構成を示すブロック図である。
【図５】図５は、第１管理情報のデータ構成の一例を示す図である。
【図６】図６は、第２管理情報のデータ構成の一例を示す図である。
【図７】図７は、第３管理情報のデータ構成の一例を示す図である。
【図８】図８は、検知装置の機能ブロック図である。
【図９】図９は、端末情報のデータ構成の一例を示す図である。
【図１０】図１０は、端末装置の機能構成を示すブロック図である。
【図１１】図１１は、本実施の形態の情報処理装置で実行する情報処理の手順を示すフローチャートである。
【図１２】図１２は、特定処理の手順の一例を示すフローチャートである。
【図１３】図１３は、特定処理の他の手順の一例を示すフローチャートである。
【図１４】図１４は、検知装置が実行する処理の手順の一例を示すフローチャートである。
【図１５】図１５は、検知装置が実行する処理の手順の一例を示すフローチャートである。
【図１６】図１６は、端末装置が実行する情報処理の手順の一例を示すフローチャートである。
【図１７】図１７は、情報処理装置で実行する情報処理の手順を示すフローチャートである。
【図１８】図１８は、ハードウェア構成の一例を示す図である。
【発明を実施するための形態】
【０００８】
以下に添付図面を参照して、情報処理装置、情報処理システム、プログラム、および情報処理方法の一の実施の形態を詳細に説明する。
【０００９】
（第１の実施の形態）
図１は、情報処理システム１０の一例を示す図である。
【００１０】
情報処理システム１０は、情報処理装置１２と、画像形成装置１４と、端末装置１６と、検知装置１８と、を備える。情報処理装置１２は、無線または有線のネットワークを介して、検知装置１８、画像形成装置１４、および端末装置１６の各々と接続されている。
【００１１】
情報処理装置１２は、公知のパーソナルコンピュータなどである。情報処理装置１２は、有線または無線のネットワークを介して、外部装置２０に接続されている。
【００１２】
外部装置２０は、電話回線を介して、ファクシミリ（ＦＡＸ）装置２２に接続されている。ＦＡＸ装置２２は、公知のファクシミリ機能を有する装置である。外部装置２０は、ＦＡＸ装置２２から送信されたファクシミリ情報を、電話回線を介して受信し、インターネットを介して画像形成装置１４へ転送する機能を有する。すなわち、外部装置２０は、インターネットＦＡＸサービスを提供するサーバである。
【００１３】
本実施の形態では、外部装置２０は、ＦＡＸ装置２２から電話回線を介してファクシミリ情報を受信する。すると、外部装置２０は、ファクシミリ情報を含む受信通知メールを、ネットワークを介して情報処理装置１２へ送信する。
【００１４】
図２は、受信通知メール３０のデータ構成の一例を示す図である。受信通知メール３０は、アドレス情報３０Ａと、ファクシミリ情報３０Ｂと、を含む。
【００１５】
アドレス情報３０Ａは、受信通知メール３０の送信元である外部装置２０のアドレス（図２中、“Ｆｒｏｍ”の欄参照）と、受信通知メール３０の送信先である情報処理装置１２のアドレス（図２中、“ｔｏ”の欄参照）と、を含む。外部装置２０のアドレス、および情報処理装置１２のアドレスは、例えば、電子メールのメールアドレスである。
【００１６】
ファクシミリ情報３０Ｂは、外部装置２０がＦＡＸ装置２２から電話回線を介して受信した情報である。ファクシミリ情報３０Ｂは、例えば、ＦＡＸ装置２２で読取ったファクシミリ画像や、ファクシミリ情報３０Ｂの件名や、ファクシミリ情報３０Ｂの本文などを含む。
【００１７】
情報処理装置１２では、外部装置２０から受信した受信通知メール３０を用いて、後述する各処理を行う（詳細後述）。
【００１８】
図１に戻り、画像形成装置１４は、記録媒体に画像を印刷する公知の画像形成装置１４である。画像形成装置１４は、電子写真方式であってもよいし、インクジェット方式であってもよく、その印刷方式は限定されない。画像形成装置１４は、情報処理装置１２からファクシミリ情報３０Ｂを受信し、受信したファクシミリ情報３０Ｂに応じた画像を記録媒体に印刷する。
【００１９】
本実施の形態では、画像形成装置１４は、予め定められた領域に配置されている。予め定められた領域とは、例えば、建物内の特定のフロア（階）や、特定の部屋などである。
【００２０】
図３は、画像形成装置１４の実際の配置の一例を示す模式図である。画像形成装置１４は、複数の領域Ｐ（図３では、領域Ｐ１、領域Ｐ２）の各々に配置されている。各領域Ｐには、１または複数の画像形成装置１４が予め配置されている。図３に示す例では、領域Ｐ１には、画像形成装置１４Ａおよび画像形成装置１４Ｂが配置されている。領域Ｐ２には、画像形成装置１４Ｃが配置されている。
【００２１】
なお、情報処理システム１０で用いる領域Ｐは、２つの領域Ｐ（領域Ｐ１、領域Ｐ２）に限定されない。すなわち、領域Ｐは、３つ以上であってもよい。また、情報処理システム１０に含まれる画像形成装置１４の数は、複数台であればよく、２台、または４台以上であってもよい。また、各領域Ｐに配置される画像形成装置１４の数は、１台や２台に限定されず、３台以上であってもよい。
【００２２】
端末装置１６は、公知のパーソナルコンピュータである。端末装置１６は、ユーザによって携帯される携帯端末である。端末装置１６は、具体的には、スマートフォンや、タブレットパソコンなどである。本実施の形態では、ユーザは、少なくとも１台の端末装置１６を携帯する。
【００２３】
検知装置１８は、各領域Ｐの各々に対応して配置されている。本実施の形態では、１つの領域Ｐに対して、１つの検知装置１８が配置されている。検知装置１８は、各検知装置１８の担当する領域Ｐ内に位置する端末装置１６を検知する。
【００２４】
図３には、検知装置１８の一例として、検知装置１８Ａと、検知装置１８Ｂと、を示した。図３に示すように、例えば、検知装置１８Ａは、領域Ｐ１を担当し、領域Ｐ１に位置する端末装置１６を検知する。検知装置１８Ｂは、領域Ｐ２を担当し、領域Ｐ２に位置する端末装置１６を検知する。
【００２５】
検知装置１８は、例えば、応答要求信号を発信する。検知装置１８が発信する応答要求信号の信号強度は、各検知装置１８の担当する領域Ｐ内に位置する端末装置１６との間で信号授受可能な程度の強度であり、且つ、担当する領域Ｐ外に位置する端末装置１６との間では信号授受不可能な程度の強度である。そして、各検知装置１８は、発信した応答要求信号に対する応答信号を受信すると、応答信号の送信元の端末装置１６が、担当する領域Ｐ内に位置することを検知する。
【００２６】
例えば、図３には、端末装置１６として、端末装置１６Ａおよび端末装置１６Ｂを示した。ユーザによって携帯された端末装置１６Ａが、ユーザの領域Ｐ１内への侵入に伴って領域Ｐ１内に到ると、端末装置１６Ａは、検知装置１８Ａによって検知される。すなわち、検知装置１８Ａは、検知装置１８Ａの担当する領域Ｐ１内に、端末装置１６Ａが位置することを検知する。
【００２７】
図３に示す例では、端末装置１６Ｂは、何れの領域Ｐ（領域Ｐ１、領域Ｐ２）内にも位置していない。このため、端末装置１６Ｂは、何れの検知装置１８からも検知されない場所（すなわち、領域Ｐ外）に位置している。
【００２８】
次に、情報処理装置１２の機能構成を説明する。図４は、情報処理装置１２の機能構成を示すブロック図である。
【００２９】
情報処理装置１２は、制御部２４と、記憶部２６と、ＵＩ（ユーザインターフェース）部２８と、を備える。記憶部２６およびＵＩ部２８と、制御部２４と、は、データや信号授受可能に接続されている。
【００３０】
ＵＩ部２８は、表示部と、入力部と、を備える。表示部は、各種画像を表示する。表示部は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）等の公知の表示装置である。入力部は、ユーザが各種の操作入力を行うための手段である。入力部は、例えば、マウス、ボタン、リモコン、キーボード、および、マイクなどの音声認識装置等である。
【００３１】
本実施の形態では、ＵＩ部２８は、表示部および入力部を一体的に構成したタッチパネルである場合を説明する。なお、ＵＩ部２８は、表示部と入力部とを別体として構成してもよい。
【００３２】
記憶部２６は、各種データや画像を記憶する。本実施の形態では、記憶部２６は、第１管理情報、第２管理情報、および第３管理情報、などの各種データを記憶する。
【００３３】
図５は、第１管理情報３２のデータ構成の一例を示す図である。第１管理情報３２は、宛先情報と、宛先情報によって識別されるユーザのユーザ名と、ユーザの使用する端末装置１６の識別情報（端末ＩＤと称する）と、該端末装置１６のアドレス情報と、を対応づけた情報である。第１管理情報３２は、データベースであってもよいし、テーブルであってもよく、データ形式は限定されない。
【００３４】
宛先情報は、ユーザを識別する識別情報である。本実施の形態では、宛先情報は、ファクシミリ情報３０Ｂの送信先のユーザを識別する識別情報である。宛先情報は、ファクシミリ情報３０Ｂから、ファクシミリ情報３０Ｂの送信先のユーザを特定可能な情報であればよい。宛先情報は、例えば、予め各ユーザの各々ごとに割り当てられたＦＡＸ番号である。
【００３５】
端末装置１６のアドレス情報は、情報処理装置１２が端末装置１６へデータを送信する時に用いるアドレスを示す情報である。端末装置１６のアドレス情報は、例えば、端末装置１６のＩＰアドレスや、端末装置１６に予めインストールされたメールソフトで用いるメールアドレスなどである。
【００３６】
第１管理情報３２に登録されている各情報は、予め第１管理情報３２に登録されている。すなわち、記憶部２６は、第１管理情報３２を予め記憶する。
【００３７】
図６は、第２管理情報３４のデータ構成の一例を示す図である。第２管理情報３４は、領域ＩＤと、画像形成装置ＩＤと、領域Ｐ内に位置する端末装置１６の端末ＩＤと、を対応づけた情報である。第２管理情報３４は、データベースであってもよいし、テーブルであってもよく、データ形式は限定されない。
【００３８】
領域ＩＤは、各領域Ｐの識別情報である。第２管理情報３４における画像形成装置ＩＤは、対応する領域ＩＤによって識別される領域Ｐ内に配置された、画像形成装置１４の識別情報である。第２管理情報３４における、領域ＩＤおよび画像形成装置ＩＤは、予め第２管理情報３４に登録されている。
【００３９】
第２管理情報３４における、領域Ｐ内に位置する端末装置１６の端末ＩＤは、対応する領域ＩＤによって識別される領域Ｐ内に、現在位置している端末装置１６の識別情報（端末ＩＤ）である。第２管理情報３４における、領域Ｐ内に位置する端末装置１６の端末ＩＤは、制御部２４によって適宜更新される（詳細後述）。
【００４０】
図７は、第３管理情報３６のデータ構成の一例を示す図である。第３管理情報３６は、画像形成装置ＩＤと、記録媒体のサイズと、を対応づけた情報である。第３管理情報３６は、データベースであっても、テーブルであってもよく、データ形式は限定されない。
【００４１】
第３管理情報３６における、記録媒体のサイズは、対応する画像形成装置ＩＤによって識別される画像形成装置１４で画像を印刷可能な記録媒体のサイズである。第３管理情報３６に登録されている各情報は、予め第３管理情報３６に登録されている。すなわち、記憶部２６は、第３管理情報３６を予め記憶する。
【００４２】
図４に戻り、制御部２４は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などを含んで構成されるコンピュータである。制御部２４は、情報処理装置１２全体を制御する。なお、制御部２４は、ＣＰＵ以外の回路などであってもよい。
【００４３】
制御部２４は、通信部２４Ａと、更新部２４Ｂと、第１受信部２４Ｃと、取得部２４Ｄと、判別部２４Ｅと、第１特定部２４Ｆと、転送部２４Ｉと、第２送信部２４Ｋと、を含む。通信部２４Ａ、更新部２４Ｂ、第１受信部２４Ｃ、取得部２４Ｄ、判別部２４Ｅ、第１特定部２４Ｆ、転送部２４Ｉ、および第２送信部２４Ｋの一部または全ては、例えば、ＣＰＵなどの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００４４】
通信部２４Ａは、無線または有線のインターネットを介して、外部装置２０、検知装置１８、画像形成装置１４、および端末装置１６の各々と通信を行う。
【００４５】
更新部２４Ｂは、検知装置１８から更新要求を受け付けると、第２管理情報３４を更新する。
【００４６】
更新要求は、領域ＩＤと、端末ＩＤと、削除要求または追加要求と、を含む。更新要求に含まれる領域ＩＤは、該更新要求の送信元の検知装置１８が担当する領域Ｐの領域ＩＤである。更新要求に含まれる端末ＩＤは、検知装置１８が新たに検知した端末装置１６の端末ＩＤ、または、前回検知したが今回検知出来なかった端末装置１６の端末ＩＤである。
【００４７】
更新部２４Ｂは、更新要求に削除要求が含まれる場合、記憶部２６に記憶されている第２管理情報３４における、更新要求に含まれる領域ＩＤに対応する、領域Ｐ内に位置する端末装置１６の端末ＩＤから、該更新要求に含まれる端末ＩＤを削除する。一方、更新部２４Ｂは、更新要求に追加要求が含まれる場合、記憶部２６に記憶されている第２管理情報３４における、更新要求に含まれる領域ＩＤに対応する、領域Ｐ内に位置する端末装置１６の端末ＩＤとして、該更新要求に含まれる端末ＩＤを追加登録する。
【００４８】
このため、第２管理情報３４における、領域Ｐ内に位置する端末装置１６の端末ＩＤには、対応する領域ＩＤによって識別される領域Ｐに現在位置している端末装置１６の端末ＩＤのみが、登録された状態となる。
【００４９】
第１受信部２４Ｃは、外部装置２０から受信通知メール３０を受信する。受信通知メール３０は、上述したように、ＦＡＸ装置２２から電話回線を介して外部装置２０で受信され、情報処理装置１２に送信されたものである。受信通知メール３０は、上述したように、ファクシミリ情報３０Ｂを含む（図２参照）。
【００５０】
取得部２４Ｄは、第１受信部２４Ｃが受信した受信通知メール３０に含まれるファクシミリ情報３０Ｂを読取る。そして、取得部２４Ｄは、ファクシミリ情報３０Ｂから、ファクシミリ情報３０Ｂの送信先のユーザを識別する宛先情報を取得する。
【００５１】
例えば、取得部２４Ｄは、ファクシミリ情報３０Ｂに含まれる、件名や本文を解析することによって、ファクシミリ情報３０Ｂから宛先情報を取得する。
【００５２】
判別部２４Ｅは、予め定めた複数の領域Ｐの内、取得部２４Ｄが取得した宛先情報によって識別されるユーザの端末装置１６が現在位置する領域Ｐを判別する。
【００５３】
例えば、判別部２４Ｅは、取得部２４Ｄが取得した宛先情報に対応する端末ＩＤを、第１管理情報３２（図５参照）から読取る。そして、判別部２４Ｅは、第２管理情報３４（図６参照）から、読取った端末ＩＤを、領域Ｐ内に位置する端末装置１６の端末ＩＤとして含む領域ＩＤを判別する。これによって、判別部２４Ｅは、取得部２４Ｄが取得した宛先情報によって識別されるユーザの端末装置１６が現在位置する領域Ｐを判別する。
【００５４】
具体的には、取得部２４Ｄが取得した宛先情報によって識別されるユーザの端末装置１６の端末ＩＤが、“０１”であったとする（図６参照）。この場合、判別部２４Ｅは、第２管理情報３４における。端末ＩＤ“０１”に対応する領域ＩＤの領域“Ｐ１”を、該宛先情報によって識別されるユーザの端末装置１６が現在位置する領域Ｐとして判別する。
【００５５】
第１特定部２４Ｆは、判別部２４Ｅが判別した領域Ｐに配置された画像形成装置１４を特定する。
【００５６】
例えば、第１特定部２４Ｆは、判別部２４Ｅが判別した領域Ｐの領域ＩＤに対応する画像形成装置ＩＤを、第２管理情報３４から読取る（図６参照）。そして、第１特定部２４Ｆは、読取った画像形成装置ＩＤによって識別される画像形成装置１４を、特定する。
【００５７】
このため、第１特定部２４Ｆは、取得部２４Ｄが取得した宛先情報によって識別されるユーザの端末装置１６が現在位置する領域Ｐに配置された、画像形成装置１４を特定する。
【００５８】
ここで、図３を用いて説明したように、各領域Ｐには、１または複数の画像形成装置１４が配置されている。このため、第１特定部２４Ｆが、複数の画像形成装置１４を特定する場合がある。
【００５９】
この場合、第１特定部２４Ｆは、判別部２４Ｅが判別した領域Ｐの領域ＩＤに対応する、複数の画像形成装置ＩＤの内の１つをランダムに選定し、選定した画像形成装置ＩＤの画像形成装置１４を、特定すればよい。
【００６０】
なお、第１特定部２４Ｆは、判別部２４Ｅが判別した領域Ｐの領域ＩＤに対応する、複数の画像形成装置ＩＤの各々によって識別される複数の画像形成装置１４内の１つを、下記処理によって特定してもよい。
【００６１】
この場合、第１特定部２４Ｆを、検出部２４Ｇと、第２特定部２４Ｈと、を含む構成とすればよい。
【００６２】
検出部２４Ｇは、ファクシミリ情報３０Ｂに含まれるファクシミリ画像の印刷サイズを検出する。検出部２４Ｇは、例えば、ファクシミリ情報３０Ｂに含まれるファクシミリ画像のヘッダー情報を読取ることで、印刷サイズを検出する。なお、ファクシミリ画像の印刷サイズが複数種類である場合、検出部２４Ｇは、該ファクシミリ画像の、最大の印刷サイズを検出すればよい。
【００６３】
第２特定部２４Ｈは、判別部２４Ｅが判別した領域Ｐに配置された複数の画像形成装置１４の内、検出部２４Ｇが検出した印刷サイズの記録媒体に画像を印刷可能な画像形成装置１４を特定する。
【００６４】
例えば、第２特定部２４Ｈは、判別部２４Ｅが判別した領域Ｐの領域ＩＤに対応する、複数の画像形成装置ＩＤの各々に対応する、記録媒体のサイズを、第３管理情報３６（図７参照）から読取る。そして、第２特定部２４Ｈは、この複数の画像形成装置ＩＤの内、検出した印刷サイズと同じ記録媒体のサイズに対応する画像形成装置ＩＤを、第３管理情報３６から特定する。
【００６５】
具体的には、検出部２４Ｇが、印刷サイズ「Ａ３」を検出したとする。そして、判別部２４Ｅが判別した領域Ｐの領域ＩＤが「Ｐ１」であったとする。そして、第２管理情報３４における、該領域ＩＤ「Ｐ１」に対応する画像形成装置ＩＤが、「１４Ａ」、「１４Ｂ」であったとする（図６参照）。
【００６６】
この場合、第２特定部２４Ｈは、第３管理情報３６（図７参照）における、画像形成装置ＩＤ「１４Ａ」「１４Ｂ」の各々に対応する、印刷可能な記録媒体のサイズの内、検出した印刷サイズ「Ａ３」に対応する画像形成装置ＩＤ「１４Ａ」を特定する。
【００６７】
このため、この場合、第１特定部２４Ｆは、宛先情報によって識別されるユーザの端末装置１６が現在位置する領域Ｐに配置された複数の画像形成装置１４の内、受信通知メール３０に含まれるファクシミリ画像を、該ファクシミリ画像に規定されたサイズで印刷可能な画像形成装置１４を、特定することとなる。
【００６８】
また、第１特定部２４Ｆは、ファクシミリ画像の印刷枚数に応じて、画像形成装置１４を特定してもよい。
【００６９】
この場合、第１特定部２４Ｆの検出部２４Ｇは、ファクシミリ画像の印刷枚数を検出する。検出部２４Ｇは、例えば、ファクシミリ情報３０Ｂに含まれるファクシミリ画像のヘッダー情報を読取ることで、印刷枚数を検出する。
【００７０】
第２特定部２４Ｈは、判別部２４Ｅで判別した領域Ｐに配置された複数の画像形成装置１４の内、検出した印刷枚数以上の記録媒体の搭載された画像形成装置１４を特定する。
【００７１】
例えば、第２特定部２４Ｈは、判別部２４Ｅが判別した領域Ｐの領域ＩＤに対応する、複数の画像形成装置ＩＤの各々によって識別される画像形成装置１４の各々に、現在搭載している記録媒体の枚数情報の問合せ信号を送信する。そして、該画像形成装置１４の各々から、該問合せ信号に対する返答信号として、現在搭載している記録媒体の枚数情報を取得する。なお、このとき、現在搭載している記録媒体のサイズごとの、枚数情報を取得してもよい。
【００７２】
そして、第２特定部２４Ｈは、検出部２４Ｇが検出した印刷枚数以上の枚数情報を含む、返答信号の送信元の画像形成装置１４を特定する。
【００７３】
このため、この場合、第１特定部２４Ｆは、宛先情報によって識別されるユーザの端末装置１６が現在位置する領域Ｐに配置された複数の画像形成装置１４の内、受信通知メール３０に含まれるファクシミリ画像の印刷枚数以上の枚数の記録媒体を搭載している画像形成装置１４を、特定することとなる。
【００７４】
なお、宛先情報によって識別されるユーザの端末装置１６が、予め定めた複数の領域Ｐの何れの領域Ｐにも位置しない場合がある。この場合、第１特定部２４Ｆは、印刷対象の画像形成装置１４の識別情報（画像形成装置ＩＤ）を該端末装置１６から取得し、取得した該識別情報（画像形成装置ＩＤ）によって識別される画像形成装置１４を特定すればよい。
【００７５】
このため、領域Ｐのいずれにも、宛先情報によって識別されるユーザの端末装置１６が位置しない場合、第１特定部２４Ｆは、該端末装置１６から取得した画像形成装置ＩＤによって識別される画像形成装置１４を特定すればよい。
【００７６】
転送部２４Ｉは、第１特定部２４Ｆが特定した画像形成装置１４へ、第１受信部２４Ｃが受信した受信通知メール３０に含まれるファクシミリ情報３０Ｂを転送する。
【００７７】
このため、宛先情報によって識別されるユーザの端末装置１６が現在位置する領域Ｐに配置された画像形成装置１４に、ファクシミリ情報３０Ｂが転送される。
【００７８】
なお、転送部２４Ｉは、宛先情報によって識別されるユーザの端末装置１６に、特定した画像形成装置１４へファクシミリ情報３０Ｂを転送することを示す転送前情報を送信し、該端末装置１６から転送前情報に対する確認済情報を受信したときに、特定した画像形成装置１４へファクシミリ情報３０Ｂを転送してもよい。
【００７９】
この場合、転送部２４Ｉは、該端末装置１６を携帯したユーザが、転送前情報を確認した後に、ファクシミリ情報３０Ｂを特定した画像形成装置１４へ転送することができる。
【００８０】
第１送信部２４Ｊは、転送済情報を端末装置１６へ送信する。転送済情報は、第１特定部２４Ｆが特定した画像形成装置１４へファクシミリ情報３０Ｂを転送したことを示す情報である。例えば、転送済情報は、第１特定部２４Ｆが特定した画像形成装置１４の画像形成装置ＩＤと、該画像形成装置１４の配置された領域Ｐを示す領域ＩＤと、ファクシミリ情報３０Ｂと、転送済を示す情報と、を含む。
【００８１】
第１送信部２４Ｊが転送済情報を送信する端末装置１６は、取得部２４Ｄが取得した宛先情報によって識別されるユーザの端末装置１６である。例えば、第１送信部２４Ｊは、取得部２４Ｄが取得した宛先情報に対応する端末装置１６のアドレス情報を第１管理情報３２から読取る（図５参照）。そして、第１送信部２４Ｊは、読取ったアドレス情報によって示されるアドレスに、転送済情報を送信する。
【００８２】
このため、取得部２４Ｄが取得した宛先情報によって識別されるユーザの端末装置１６には、該ユーザの端末装置１６が現在位置する領域Ｐに配置された画像形成装置１４に、ファクシミリ情報３０Ｂが転送されたことが通知される。
【００８３】
第２送信部２４Ｋは、ファクシミリ情報３０Ｂを転送した画像形成装置１４へ、印刷実行を指示する印刷指示を送信する。印刷指示を受信した画像形成装置１４は、情報処理装置１２から転送されたファクシミリ情報３０Ｂの印刷を実行する。なお、画像形成装置１４は、情報処理装置１２から転送されたファクシミリ情報３０Ｂの印刷を、印刷指示を受付ける前に実行してもよい。
【００８４】
次に、検知装置１８の機能構成を説明する。図８は、検知装置１８の機能ブロック図である。
【００８５】
検知装置１８は、制御部４０と、記憶部３８と、を含む。制御部４０と記憶部３８は、データや信号授受可能に接続されている。記憶部３８は、各種データを記憶する。
【００８６】
本実施の形態では、記憶部３８は、端末情報を記憶する。端末情報は、該記憶部３８を備えた検知装置１８が担当する領域Ｐ内に、現在位置する端末装置１６の端末ＩＤを登録した情報である。
【００８７】
図９は、端末情報４２のデータ構成の一例を示す図である。図９に示すように、端末情報４２は、該端末情報４２を記憶した記憶部３８を備えた検知装置１８が担当する領域Ｐ内に、現在位置する端末装置１６の端末ＩＤを登録した情報である。図９に示す例では、端末情報４２は、端末ＩＤと、該端末ＩＤを含む応答信号を検知装置１８から最後に受信した受信時刻と、を対応づけた情報である。すなわち、端末情報４２には、端末ＩＤと、端末ＩＤを含む最新の応答信号の受信時刻と、が対応づけて格納されている。
【００８８】
端末情報４２は、制御部４０によって更新される。
【００８９】
図８に戻り、制御部４０は、検知装置１８全体を制御する。制御部４０は、検知部４０Ａと、記憶制御部４０Ｂと、第４送信部４０Ｃと、を備える。
【００９０】
検知部４０Ａは、該検知部４０Ａを備えた検知装置１８が担当する領域Ｐ内に位置する端末装置１６を検知する。
【００９１】
検知部４０Ａは、応答要求信号を発信する。検知部４０Ａが発信する応答要求信号の信号強度は、上述したように、当該検知装置１８の担当する領域Ｐ内に位置する端末装置１６との間で信号授受可能な程度の強度であり、且つ、担当する領域Ｐ外に位置する端末装置１６との間では信号授受不可能な程度の強度である。
【００９２】
検知部４０Ａは、発信した応答要求信号に対する応答信号を端末装置１６から受信することで、該応答信号の送信元の端末装置１６が、担当する領域Ｐ内に位置することを検知する。応答信号は、該応答信号の送信元の端末装置１６の端末ＩＤを少なくとも含む。応答信号は、端末ＩＤと、該端末ＩＤによって識別される端末装置１６のユーザのユーザ名を更に含んでいてもよい。
【００９３】
本実施の形態では、検知部４０Ａは、応答要求信号として、第１応答要求信号と、第２応答要求信号と、の各々を発信する。第１応答要求信号は、領域Ｐ内に位置する全ての端末装置１６に対して発信する応答要求信号である。第２応答要求信号は、検知装置１８との間で接続を確立済の端末装置１６に対して発信する応答要求信号である。言い換えると、第２応答要求信号は、検知装置１８の記憶部３８に記憶されている端末情報４２に登録済の端末ＩＤによって識別される端末装置１６の各々に対して発信する、応答要求信号である。
【００９４】
記憶制御部４０Ｂは、端末情報４２（図９参照）を更新する。記憶制御部４０Ｂでは、検知部４０Ａが発信した第１応答要求信号に対する応答信号に含まれる端末ＩＤが、端末情報４２に未登録であるか否かを判断する。記憶制御部４０Ｂは、第１応答要求信号に対する応答信号に含まれる端末ＩＤが、端末情報４２に未登録である場合、該端末ＩＤと、該端末ＩＤを含む応答信号の受信時刻と、を新たに端末情報４２へ登録する。これにより、記憶制御部４０Ｂは、端末情報４２を更新する。
【００９５】
第４送信部４０Ｃは、記憶制御部４０Ｂが、新たな端末ＩＤを端末情報４２へ登録した場合、該検知装置１８の担当する領域Ｐの領域ＩＤと、新たに登録した端末ＩＤと、追加要求と、を含む更新要求を、情報処理装置１２へ送信する。
【００９６】
また、記憶制御部４０Ｂは、検知部４０Ａが受信した、第１応答要求信号に対する応答信号に含まれる端末ＩＤが端末情報４２に登録済である場合、端末情報４２における、該端末ＩＤに対応する受信時刻を、最新の応答信号の受信時刻に書き換える。これにより、記憶制御部４０Ｂは、端末情報４２を更新する。
【００９７】
また、検知部４０Ａは、端末情報４２に登録済の端末ＩＤによって識別される端末装置１６の各々に対して、第２応答要求信号を発信する。そして、検知部４０Ａは、端末情報４２に登録済の端末ＩＤによって識別される端末装置１６の各々に対して、各端末装置１６の各々の端末ＩＤを含む応答信号を前回受信してから所定時間経過したか否かを判断する。前回の受信時刻は、端末情報４２における、各端末ＩＤに対応する受信時刻を読取ることで、確認可能である。この所定時間は、任意の時間を定めればよい。
【００９８】
そして、検知部４０Ａは、端末情報４２に登録済の端末ＩＤによって識別される端末装置１６の各々の内、各端末装置１６の各々の端末ＩＤを含む応答信号を前回受信してから、応答信号未受信のまま所定時間経過した端末装置１６を判断する。記憶制御部４０Ｂは、この所定時間経過したと判断した端末装置１６が、担当する領域Ｐの外へ移動したものと判別する。そして、記憶制御部４０Ｂは、該端末ＩＤを、端末情報４２から削除する。これにより、記憶制御部４０Ｂは、端末情報４２を更新する。
【００９９】
記憶制御部４０Ｂが、登録されている端末ＩＤを端末情報４２から削除した場合、第４送信部４０Ｃは、削除した該端末ＩＤと、該検知装置１８の担当する領域Ｐの領域ＩＤと、削除要求と、を含む更新要求を、情報処理装置１２へ送信する。
【０１００】
すなわち、検知装置１８では、検知装置１８が担当する領域Ｐに新たな端末装置１６が侵入した場合、制御部４０は、新たに侵入した端末装置１６の端末ＩＤを端末情報４２へ登録すると共に、該端末ＩＤの追加要求を含む更新情報を、情報処理装置１２へ送信する。また、検知装置１８が担当する領域Ｐから該領域Ｐの外へ端末装置１６が移動した場合、制御部４０は、該領域Ｐの外へ移動した端末装置１６の端末ＩＤを端末情報４２から削除すると共に、該端末ＩＤの削除要求を含む更新情報を、情報処理装置１２へ送信する。
【０１０１】
このため、記憶部３８に記憶される端末情報４２には、該記憶部３８を備えた検知装置１８が担当する領域Ｐに現在位置する端末装置１６の端末ＩＤのみが登録された状態となる。また、画像形成装置１４には、各検知装置１８が担当する領域Ｐに位置する端末装置１６の端末ＩＤの最新情報が、更新情報として送信されることとなる。画像形成装置１４では、上述したように、更新情報を用いて、第２管理情報３４を更新する。
【０１０２】
このため、各検知装置１８の各々が担当する領域Ｐに現在位置する端末装置１６の端末ＩＤを、画像形成装置１４においても管理することができる。
【０１０３】
次に、端末装置１６の機能構成を説明する。図１０は、端末装置１６の機能構成を示すブロック図である。
【０１０４】
端末装置１６は、制御部４４と、記憶部４６と、ＵＩ部４８と、音声出力部５０と、振動駆動部５２と、を備える。
【０１０５】
制御部４４と、記憶部４６、ＵＩ部４８、音声出力部５０、および振動駆動部５２と、は、データや信号授受可能に接続されている。
【０１０６】
記憶部４６は、各種データを記憶する。ＵＩ部４８は、表示部と、入力部と、を備える。表示部は、各種画像を表示する。表示部は、例えば、ＬＣＤ、有機ＥＬ等の公知の表示装置である。入力部は、ユーザが各種の操作入力を行うための手段である。入力部は、例えば、マウス、ボタン、リモコン、キーボード、および、マイクなどの音声認識装置等である。
【０１０７】
本実施の形態では、ＵＩ部４８は、表示部および入力部を一体的に構成したタッチパネルである場合を説明する。なお、ＵＩ部４８は、表示部と入力部とを別体として構成してもよい。
【０１０８】
音声出力部５０は、音声を出力する機器である。音声出力部５０は、例えば、スピーカーである。振動駆動部５２は、端末装置１６を振動させる駆動部である。
【０１０９】
制御部４４は、ＣＰＵ、ＲＯＭ、およびＲＡＭなどを含んで構成されるコンピュータである。制御部４４は、端末装置１６全体を制御する。なお、制御部４４は、ＣＰＵ以外の回路などであってもよい。
【０１１０】
制御部４４は、通信部４４Ａと、第２受信部４４Ｂと、第３送信部４４Ｃと、受付部４４Ｄと、駆動制御部４４Ｅと、を含む。通信部４４Ａ、第２受信部４４Ｂ、第３送信部４４Ｃ、受付部４４Ｄ、および駆動制御部４４Ｅの一部または全ては、例えば、ＣＰＵなどの処理装置にプログラムを実行させること、すなわち、ソフトウェアにより実現してもよいし、ＩＣなどのハードウェアにより実現してもよいし、ソフトウェアおよびハードウェアを併用して実現してもよい。
【０１１１】
通信部４４Ａは、無線または有線のインターネットを介して、情報処理装置１２および検知装置１８の各々と通信を行う。なお、通信部４４Ａは、赤外通信機能や、電話回線を介して他の端末装置１６と接続する機能を更に含んでいてもよい。
【０１１２】
受付部４４Ｄは、ＵＩ部４８のユーザによる操作指示を受付ける。本実施の形態では、受付部４４Ｄは、ユーザによる確認操作をＵＩ部４８から受け付ける。
【０１１３】
第２受信部４４Ｂは、情報処理装置１２から転送前情報を受信する。転送前情報は、例えば、情報処理装置１２の第１特定部２４Ｆが特定した画像形成装置１４の画像形成装置ＩＤと、該画像形成装置１４の配置された領域Ｐを示す領域ＩＤと、ファクシミリ情報３０Ｂと、該画像形成装置１４へ該ファクシミリ情報３０Ｂを転送することを示す情報と、を含む。
【０１１４】
第２受信部４４Ｂは、受信した転送前情報を、ＵＩ部４８に表示する。このため、ユーザは、ＵＩ部４８に表示された転送前情報を確認することで、該ユーザ宛のファクシミリ情報３０Ｂが、転送前情報に含まれる画像形成装置ＩＤによって識別される画像形成装置１４に転送される予定であることを、確認することができる。
【０１１５】
ユーザは、転送前情報を確認した場合、ＵＩ部４８を操作することで、該転送前情報に対する確認操作を行う。すると、受付部４４Ｄが、転送前情報に対する確認済情報を受け付ける。通信部４４Ａは、該転送前情報に対する確認済情報を情報処理装置１２へ送信する。
【０１１６】
第２受信部４４Ｂは、情報処理装置１２から転送済情報を受信する。転送済情報は、上述したように、例えば、情報処理装置１２の第１特定部２４Ｆが特定した画像形成装置１４の画像形成装置ＩＤと、該画像形成装置１４の配置された領域Ｐを示す領域ＩＤと、ファクシミリ情報３０Ｂと、転送済を示す情報と、を含む。
【０１１７】
第２受信部４４Ｂは、受信した転送済情報を、ＵＩ部４８に表示する。このため、ユーザは、ＵＩ部４８に表示された転送済情報を確認することで、該ユーザ宛のファクシミリ情報３０Ｂが、転送済情報に含まれる画像形成装置ＩＤによって識別される画像形成装置１４に転送されたことを、確認することができる。
【０１１８】
ユーザは、転送済情報を確認した場合、ＵＩ部４８を操作することで、該転送済情報に対する確認操作を行う。すると、受付部４４Ｄが、転送済情報に対する確認済情報を受け付ける。通信部４４Ａは、該転送済情報に対する確認済情報を情報処理装置１２へ送信する。
【０１１９】
第３送信部４４Ｃは、検知装置１８から応答要求信号を受信すると、該端末装置１６の端末ＩＤを含む応答信号を、該応答要求信号の送信元の検知装置１８へ送信する。
【０１２０】
受付部４４Ｄは、ＵＩ部４８のユーザによる操作指示を受付ける。本実施の形態では、受付部４４Ｄは、ユーザによる確認操作をＵＩ部４８から受け付ける。
【０１２１】
駆動制御部４４Ｅは、第２受信部４４Ｂが転送済情報を受信してから、該転送済情報に対する確認操作を受付部４４Ｄで受け付けるまでの期間、転送済情報の受信を示す受信音の出力および当該端末装置１６の振動の少なくとも一方を継続するように、音声出力部５０および振動駆動部５２の少なくとも一方を制御する。
【０１２２】
このため、制御部４４は、第２受信部４４Ｂが転送済情報を受信してから、ユーザが該転送済情報の確認操作を行うまでの期間、音声出力部５０から受信音の出力、または振動駆動部５２による端末装置１６の信号を継続させることができる。
【０１２３】
なお、駆動制御部４４Ｅは、第２受信部４４Ｂが転送前情報を受信してから、該転送前情報に対応する確認操作を受付部４４Ｄで受け付けるまでの期間についても同様に、受信音の出力および振動の少なくとも一方を継続するように、音声出力部５０および振動駆動部５２の少なくとも一方を制御してもよい。
【０１２４】
次に、本実施の形態の情報処理システム１０で実行する情報処理の流れを説明する。
【０１２５】
図１１は、本実施の形態の情報処理装置１２で実行する情報処理の手順を示すフローチャートである。
【０１２６】
まず、第１受信部２４Ｃが、外部装置２０から受信通知メール３０を受信したか否かを判断する（ステップＳ１００）。受信通知メール３０を受信した場合（ステップＳ１００：Ｙｅｓ）、ステップＳ１０２へ進む。
【０１２７】
ステップＳ１０２では、取得部２４Ｄが、ステップＳ１００で受信した受信通知メール３０に含まれるファクシミリ情報３０Ｂを読取る。そして、取得部２４Ｄは、ファクシミリ情報３０Ｂから、ファクシミリ情報３０Ｂの送信先のユーザを識別する宛先情報を取得する（ステップＳ１０２）。
【０１２８】
次に、判別部２４Ｅが、複数の領域Ｐの内、ステップＳ１０２で取得部２４Ｄが取得した宛先情報によって識別されるユーザの端末装置１６が現在位置する領域Ｐを判別する（ステップＳ１０４）。
【０１２９】
そして、ステップＳ１０４の判別結果が、何れかの領域Ｐに該端末装置１６が位置することを示す場合（ステップＳ１０６：Ｙｅｓ）、ステップＳ１０８へ進む。
【０１３０】
ステップＳ１０８では、第１特定部２４Ｆが、ステップＳ１０４で判別部２４Ｅが判別した領域Ｐに配置された画像形成装置１４を特定する、特定処理を実行する（ステップＳ１０８）（詳細後述）。
【０１３１】
次に、転送部２４Ｉが、ステップＳ１０２で取得した宛先情報によって識別されるユーザの端末装置１６に、ステップＳ１０８またはステップＳ１２６（後述）で特定した画像形成装置１４へファクシミリ情報３０Ｂを転送することを示す転送前情報を送信する（ステップＳ１１０）。
【０１３２】
次に、転送部２４Ｉは、ステップＳ１１０で転送前情報を送信した端末装置１６から、転送前情報に対する確認済情報を受信するまで否定判断を繰り返す（ステップＳ１１２：Ｎｏ）。そして、転送部２４Ｉは、該端末装置１６から、転送前情報に対する確認済情報を受信すると（ステップＳ１１２：Ｙｅｓ）、ステップＳ１１４へ進む。
【０１３３】
ステップＳ１１４では、転送部２４Ｉが、ステップＳ１０８またはステップＳ１２６（後述）で特定した画像形成装置１４へ、ステップＳ１００で受信した受信通知メール３０に含まれるファクシミリ情報３０Ｂを転送する（ステップＳ１１４）。
【０１３４】
次に、転送部２４Ｉは、ステップＳ１０２で取得した宛先情報によって識別されるユーザの端末装置１６に、転送済情報を送信する（ステップＳ１１６）。
【０１３５】
次に、転送部２４Ｉは、ステップＳ１１６で転送済情報を送信した端末装置１６から、転送済情報に対する確認済情報を受信するまで否定判断を繰り返す（ステップＳ１１８：Ｎｏ）。そして、転送部２４Ｉは、該端末装置１６から、転送済情報に対する確認済情報を受信すると（ステップＳ１１８：Ｙｅｓ）、ステップＳ１２０へ進む。
【０１３６】
ステップＳ１２０では、第２送信部２４Ｋが、ステップＳ１１４でファクシミリ情報３０Ｂを転送した画像形成装置１４へ、印刷実行を指示する印刷指示を送信する（ステップＳ１２０）。印刷指示を受信した画像形成装置１４は、情報処理装置１２から転送されたファクシミリ情報３０Ｂの印刷を実行する。そして、本ルーチンを終了する。
【０１３７】
一方、上記ステップＳ１０６で否定判断すると（ステップＳ１０６：Ｎｏ）、ステップＳ１２２へ進む。すなわち、ステップＳ１０２で取得部２４Ｄが取得した宛先情報によって識別されるユーザの端末装置１６が、何れの領域Ｐにも位置しない場合（ステップＳ１０６：Ｎｏ）、ステップＳ１２２へ進む。
【０１３８】
ステップＳ１２２では、第１特定部２４Ｆが、印刷対象の画像形成装置１４の指示を要求する印刷対象指示要求を、ステップＳ１０２で取得した宛先情報によって識別されるユーザの端末装置１６に送信する（ステップＳ１２２）。
【０１３９】
そして、第１特定部２４Ｆは、該端末装置１６から、印刷対象の画像形成装置１４の識別情報（画像形成装置ＩＤ）を取得するまで否定判断を繰り返す（ステップＳ１２４：Ｎｏ）。
【０１４０】
そして、ステップＳ１２４で肯定判断すると（ステップＳ１２４：Ｙｅｓ）、ステップＳ１２６へ進む。ステップＳ１２６では、第１特定部２４Ｆが、ステップＳ１２４で取得した画像形成装置ＩＤによって識別される画像形成装置１４を特定する。そして、上記ステップＳ１１０へ進む。
【０１４１】
一方、上記ステップＳ１００で否定判断すると（ステップＳ１００：Ｎｏ）、ステップＳ１２８へ進む。
【０１４２】
ステップＳ１２８では、更新部２４Ｂが、検知装置１８から更新要求を受け付けたか否かを判断する（ステップＳ１２８）。ステップＳ１２８で否定判断すると（ステップＳ１２８：Ｎｏ）、本ルーチンを終了する。ステップＳ１２８で肯定判断すると（ステップＳ１２８：Ｙｅｓ）、ステップＳ１３０へ進む。
【０１４３】
ステップＳ１３０では、更新部２４Ｂが、ステップＳ１２８で受信した更新要求を用いて、第２管理情報３４を更新する（ステップＳ１３０）。すなわち、更新部２４Ｂは、更新要求に削除要求が含まれる場合、記憶部２６に記憶されている第２管理情報３４における、更新要求に含まれる領域ＩＤに対応する、領域Ｐ内に位置する端末装置１６の端末ＩＤから、該更新要求に含まれる端末ＩＤを削除する。一方、更新部２４Ｂは、更新要求に追加要求が含まれる場合、記憶部２６に記憶されている第２管理情報３４における、更新要求に含まれる領域ＩＤに対応する、領域Ｐ内に位置する端末装置１６の端末ＩＤとして、該更新要求に含まれる端末ＩＤを追加登録する。
【０１４４】
そして、本ルーチンを終了する。
【０１４５】
なお、上記ステップＳ１００〜ステップＳ１３０の内、ステップＳ１０６、ステップＳ１２２〜ステップＳ１２６の処理、ステップＳ１１０〜ステップＳ１２２の処理、ステップＳ１１６〜ステップＳ１１８の処理、およびステップＳ１２０の処理の少なくとも１つの処理を、行わない形態であってもよい。
【０１４６】
次に、図１１のステップＳ１０８の特定処理を説明する。図１２は、ステップＳ１０８の特定処理の手順の一例を示すフローチャートである。
【０１４７】
まず、第１特定部２４Ｆは、ステップＳ１０４で判別した領域Ｐに配置されている画像形成装置１４が複数であるか否かを判断する（ステップＳ２００）。第１特定部２４Ｆは、第２管理情報３４における、判別部２４Ｅが判別した領域Ｐの領域ＩＤに対応する画像形成装置ＩＤが複数であるか否かを判別することで、ステップＳ２００の判断を行う。
【０１４８】
ステップＳ２００で肯定判断すると、検出部２４Ｇが、ステップＳ１００で受信した受信通知メール３０のファクシミリ情報３０Ｂに含まれるファクシミリ画像の印刷サイズを検出する（ステップＳ２０２）。
【０１４９】
次に、第２特定部２４Ｈが、ステップＳ１０４で判別部２４Ｅが判別した領域Ｐに配置された複数の画像形成装置１４の内、ステップＳ２０２で検出部２４Ｇが検出した印刷サイズの記録媒体に画像を印刷可能な画像形成装置１４を特定する（ステップＳ２０４）。そして、本ルーチンを終了する。
【０１５０】
一方、ステップＳ２００において、ステップＳ１０４で判別した領域Ｐに配置されている画像形成装置１４が単数であると判断した場合（ステップＳ２００：Ｎｏ）、ステップＳ２０６へ進む。
【０１５１】
ステップＳ２０６では、第１特定部２４Ｆは、ステップＳ１０４で判別した領域Ｐに配置されている画像形成装置１４を特定する（ステップＳ２０６）。そして、本ルーチンを終了する。
【０１５２】
なお、第１特定部２４Ｆは、印刷枚数に応じて画像形成装置１４を特定してもよい。図１３は、ステップＳ１０８の特定処理の他の手順の一例を示すフローチャートである。
【０１５３】
まず、第１特定部２４Ｆは、ステップＳ１０４で判別した領域Ｐに配置されている画像形成装置１４が複数であるか否かを判断する（ステップＳ３００）。ステップＳ３００の判断は、ステップＳ２００と同様にすればよい。
【０１５４】
ステップＳ３００で肯定判断すると、検出部２４Ｇが、ステップＳ１００で受信した受信通知メール３０のファクシミリ情報３０Ｂに含まれるファクシミリ画像の印刷枚数を検出する（ステップＳ３０２）。
【０１５５】
次に、第２特定部２４Ｈが、ステップＳ１０４で判別部２４Ｅが判別した領域Ｐに配置された複数の画像形成装置１４の内、ステップＳ３０２で検出部２４Ｇが検出した印刷枚数以上の記録媒体の搭載された画像形成装置１４を特定する（ステップＳ３０４）。そして、本ルーチンを終了する。
【０１５６】
一方、ステップＳ３００において、ステップＳ１０４で判別した領域Ｐに配置されている画像形成装置１４が単数であると判断した場合（ステップＳ３００：Ｎｏ）、ステップＳ３０６へ進む。
【０１５７】
ステップＳ３０６では、第１特定部２４Ｆは、ステップＳ１０４で判別した領域Ｐに配置されている画像形成装置１４を特定する（ステップＳ３０６）。そして、本ルーチンを終了する。
【０１５８】
次に、検知装置１８が実行する処理の手順を説明する。図１４および図１５は、検知装置１８が実行する処理の手順の一例を示すフローチャートである。
【０１５９】
検知装置１８は、図１４及び図１５の各々に示すフローチャートを繰り返し実行する。
【０１６０】
まず、図１４の処理の手順を説明する。検知装置１８の検知部４０Ａは、第１応答要求信号を発信する（ステップＳ４００）。次に、検知部４０Ａは、発信した第１応答要求信号に対する応答信号を、該検知装置１８の担当する領域Ｐ内に位置する端末装置１６から受信するまで否定判断を繰り返す（ステップＳ４０２：Ｎｏ）。端末装置１６から応答信号を受信すると（ステップＳ４０２：Ｙｅｓ）、ステップＳ４０４へ進む。
【０１６１】
ステップＳ４０４では、記憶制御部４０Ｂが、ステップＳ４０２で受信した応答信号に含まれる端末ＩＤが、端末情報４２（図９参照）に未登録であるか否かを判断する（ステップＳ４０４）。
【０１６２】
未登録の端末ＩＤである場合（ステップＳ４０４：Ｙｅｓ）、ステップＳ４０６へ進む。ステップＳ４０６では、制御部４０が、ステップＳ４０４で未登録と判別した端末ＩＤによって識別される端末装置１６との接続を確立する（ステップＳ４０６）。
【０１６３】
次に、記憶制御部４０Ｂが、ステップＳ４０２で受信した応答信号に含まれる端末ＩＤと、該端末ＩＤを含む応答信号の受信時刻と、を対応づけて新たに端末情報４２へ登録する（ステップＳ４０８）。これにより、記憶制御部４０Ｂは、端末情報４２を更新する。
【０１６４】
次に、第４送信部４０Ｃは、当該検知装置１８の担当する領域Ｐの領域ＩＤと、ステップＳ４０６で新たに登録した端末ＩＤと、追加要求と、を含む更新要求を、情報処理装置１２へ送信する（ステップＳ４１０）。そして、本ルーチンを終了する。
【０１６５】
一方、ステップＳ４０４で受信した応答信号に含まれる端末ＩＤが、端末情報４２（図９参照）に登録済である場合（ステップＳ４０４：Ｎｏ）、ステップＳ４１２へ進む。
【０１６６】
ステップＳ４１２では、記憶制御部４０Ｂは、ステップＳ４０４で登録済であると判別した端末ＩＤに対応づけて、該端末ＩＤを含む応答信号の受信時刻を端末情報４２へ登録する。これによって、記憶制御部４０Ｂは、端末情報４２を更新する（ステップＳ４１２）。そして、本ルーチンを終了する。
【０１６７】
次に、検知装置１８の制御部４０が実行する図１５の処理の手順を説明する。
【０１６８】
検知装置１８は、図１４の処理に加えて、図１５の処理を繰り返し実行する。まず、検知装置１８の制御部４０は、検知装置１８の記憶部３８に記憶されている端末情報４２に登録済の端末ＩＤによって識別される端末装置１６の各々に対して、図１５に示す処理を実行する。
【０１６９】
まず、検知装置１８の検知部４０Ａは、第２応答要求信号を発信する（ステップＳ４２０）。上述したように、第２応答要求信号は、検知装置１８の記憶部３８に記憶されている端末情報４２に登録済の端末ＩＤによって識別される端末装置１６に対して発信する、応答要求信号である。
【０１７０】
次に、検知部４０Ａは、発信した第２応答要求信号に対する応答信号を、該第２応答要求信号の送信先の端末装置１６から受信したか否かを判断する（ステップＳ４２２）。
【０１７１】
ステップＳ４２２で肯定判断すると（ステップＳ４２２：Ｙｅｓ）、ステップＳ４２４へ進む。ステップＳ４２４では、記憶制御部４０Ｂが、ステップＳ４２０の第２応答信号の送信先の端末装置１６の端末ＩＤに対応づけて、ステップＳ４２２の受信時刻を端末情報４２へ登録する。これによって、記憶制御部４０Ｂは、端末情報４２を更新する（ステップＳ４２４）。そして、本ルーチンを終了する。
【０１７２】
一方、ステップＳ４２２で否定判断すると（ステップＳ４２２：Ｎｏ）、ステップＳ４２６へ進む。ステップ４２６では、検知部４０Ａが、端末情報４２に登録済の端末ＩＤによって識別される端末装置１６の各々に対して、ステップＳ４２０で第２応答要求信号を送信した送信先の端末装置１６から、応答信号を前回受信してから所定時間経過したか否かを判断する（ステップＳ４２６）。ステップＳ４２６で否定判断すると（ステップＳ４２６：Ｎｏ）、ステップＳ４２０へ戻る。
【０１７３】
一方、ステップＳ４２６で肯定判断すると（ステップＳ４２６：Ｙｅｓ）、ステップＳ４２８へ進む。ステップＳ４２８では、記憶制御部４０Ｂが、ステップＳ４２６で所定時間経過したと判断した端末装置１６が、担当する領域Ｐの外へ移動したものと判別する。そして、記憶制御部４０Ｂは、該端末ＩＤを、端末情報４２から削除する。これにより、記憶制御部４０Ｂは、端末情報４２を更新する（ステップＳ４２８）。
【０１７４】
次に、第４送信部４０Ｃは、ステップＳ４２８で削除した端末ＩＤと、当該検知装置１８の担当する領域Ｐの領域ＩＤと、削除要求と、を含む更新要求を、情報処理装置１２へ送信する（ステップＳ４３０）。そして、本ルーチンを終了する。
【０１７５】
次に、端末装置１６が実行する情報処理の手順を説明する。図１６は、端末装置１６が実行する情報処理の手順の一例を示すフローチャートである。
【０１７６】
まず、第２受信部４４Ｂが、情報処理装置１２から転送前情報を受信したか否かを判断する（ステップＳ５００）。ステップＳ５００で肯定判断すると（ステップＳ５００：Ｙｅｓ）、ステップＳ５０２へ進む。
【０１７７】
ステップＳ５０２では、駆動制御部４４Ｅが、転送前情報の受信を示す受信音の出力および当該端末装置１６の振動の少なくとも一方を開始するように、音声出力部５０および振動駆動部５２の少なくとも一方を制御する（ステップＳ５０２）。
【０１７８】
次に、受付部４４Ｄが、転送前情報に対する確認操作をＵＩ部４８から受け付けたと判断するまで否定判断を繰り返す（ステップＳ５０４：Ｎｏ）。転送前情報に対する確認操作をＵＩ部４８から受け付けたと判断すると（ステップＳ５０４：Ｙｅｓ）、ステップＳ５０６へ進む。
【０１７９】
ステップＳ５０６では、駆動制御部４４Ｅが、受信音の出力および振動を停止するように、音声出力部５０および振動駆動部５２を制御する（ステップＳ５０６）。
【０１８０】
次に、第３送信部４４Ｃが、ステップＳ５００で受信した転送前情報に対する確認済情報を、情報処理装置１２へ送信する（ステップＳ５０８）。そして、本ルーチンを終了する。
【０１８１】
一方、上記ステップＳ５００で否定判断すると（ステップＳ５００：Ｎｏ）、ステップＳ５１０へ進む。
【０１８２】
ステップＳ５１０では、第２受信部４４Ｂが、情報処理装置１２から転送済情報を受信したか否かを判断する（ステップＳ５１０）。ステップＳ５１０で肯定判断すると（ステップＳ５１０：Ｙｅｓ）、ステップＳ５１２へ進む。
【０１８３】
ステップＳ５１２では、駆動制御部４４Ｅが、転送済情報の受信を示す受信音の出力および当該端末装置１６の振動の少なくとも一方を開始するように、音声出力部５０および振動駆動部５２の少なくとも一方を制御する（ステップＳ５１２）。
【０１８４】
次に、受付部４４Ｄが、転送済情報に対する確認操作をＵＩ部４８から受け付けたと判断するまで否定判断を繰り返す（ステップＳ５１４：Ｎｏ）。転送済情報に対する確認操作をＵＩ部４８から受け付けたと判断すると（ステップＳ５１４：Ｙｅｓ）、ステップＳ５１６へ進む。
【０１８５】
ステップＳ５１６では、駆動制御部４４Ｅが、受信音の出力および振動を停止するように、音声出力部５０および振動駆動部５２を制御する（ステップＳ５１６）。
【０１８６】
次に、第３送信部４４Ｃが、ステップＳ５１０で受信した転送済情報に対する確認済情報を、情報処理装置１２へ送信する（ステップＳ５１８）。そして、本ルーチンを終了する。
【０１８７】
一方、上記ステップ５１０で否定判断すると（ステップＳ５１０：Ｎｏ）、ステップＳ５２０へ進む。
【０１８８】
ステップＳ５２０では、通信部４４Ａが、印刷対象の画像形成装置１４の指示を要求する印刷対象指示要求を、情報処理装置１２から受信したか否かを判断する（ステップＳ５２０）。ステップ５２０で肯定判断すると（ステップＳ５２０：Ｙｅｓ）、ステップＳ５２２へ進む。
【０１８９】
ステップＳ５２２では、ユーザによるＵＩ部４８の操作指示によって、ＵＩ部４８から印刷対象の画像形成装置１４の画像形成装置ＩＤを受け付けるまで否定判断を繰り返す（ステップＳ５２２：Ｎｏ）。例えば、制御部４４は、ステップＳ５２０で受け付けた印刷対象指示要求をＵＩ部４８へ表示し、印刷対象の画像形成装置１４の指示を促すメッセージをＵＩ部４８へ表示する。そして、ユーザがＵＩ部４８を操作することで、印刷対象の画像形成装置１４が指示されると、受付部４４Ｄは、指示された画像形成装置１４の画像形成装置ＩＤを受け付ける。
【０１９０】
ステップＳ５２２で肯定判断すると（ステップＳ５２２：Ｙｅｓ）、ステップＳ５２４へ進む。ステップＳ５２４では、通信部４４Ａが、ステップＳ５２２で受け付けた画像形成装置ＩＤを、情報処理装置１２へ送信する（ステップＳ５２４）。そして、本ルーチンを終了する。
【０１９１】
一方、上記ステップＳ５２０で否定判断すると（ステップＳ５２０：Ｎｏ）、ステップＳ５２６へ進む。
【０１９２】
ステップＳ５２６では、通信部４４Ａが、検知装置１８から応答要求信号（第１応答要求信号、または、第２応答要求信号）を受信したか否かを判断する（ステップＳ５２６）。ステップＳ５２６で否定判断すると（ステップＳ５２６：Ｎｏ）、本ルーチンを終了する。
【０１９３】
ステップＳ５２６で肯定判断すると（ステップＳ５２６：Ｙｅｓ）、ステップＳ５２８へ進む。ステップＳ５２８では、第３送信部４４Ｃが、当該端末装置１６の端末ＩＤを含む応答信号を、該応答要求信号の送信元の検知装置１８へ送信する（ステップＳ５２８）。そして、本ルーチンを終了する。
【０１９４】
以上説明したように、本実施の形態の情報処理装置１２は、第１受信部２４Ｃと、取得部２４Ｄと、判別部２４Ｅと、第１特定部２４Ｆと、転送部２４Ｉと、を備える。第１受信部２４Ｃは、ファクシミリ装置（ＦＡＸ装置２２）から電話回線を介して外部装置２０で受信したファクシミリ情報３０Ｂを、外部装置２０からネットワークを介して受信する。取得部２４Ｄは、ファクシミリ情報３０Ｂの送信先のユーザを識別する宛先情報を取得する。判別部２４Ｅは、予め定めた複数の領域Ｐの内、取得した宛先情報によって識別されるユーザの端末装置１６が現在位置する領域Ｐを判別する。第１特定部２４Ｆは、判別した領域Ｐに配置された画像形成装置１４を特定する。転送部２４Ｉは、特定した画像形成装置１４へファクシミリ情報３０Ｂを転送する。
【０１９５】
このように、本実施の形態の情報処理装置１２は、外部装置２０から受信したファクシミリ情報３０Ｂを、ユーザの端末装置１６が現在位置する領域Ｐに配置された画像形成装置１４へ転送する。このため、情報処理装置１２は、ユーザが現在位置する領域Ｐに配置された画像形成装置１４へ、ファクシミリ情報３０Ｂを転送することができる。すなわち、ユーザは、ユーザの現在位置する領域Ｐに配置された画像形成装置１４で、該ユーザ宛のファクシミリ情報３０Ｂを印刷することができる。
【０１９６】
従って、本実施の形態の情報処理装置１２では、ファクシミリ情報に応じた画像の印刷の利便性の向上を図ることができる、という効果を奏する。
【０１９７】
また、本実施の形態の情報処理装置１２では、ファクシミリ情報３０Ｂは、ファクシミリ装置（ＦＡＸ装置２２）で読取ったファクシミリ画像を含む。
【０１９８】
そして、第１特定部２４Ｆは、検出部２４Ｇと、第２特定部２４Ｈと、を含む構成であることが好ましい。検出部２４Ｇは、ファクシミリ画像の印刷サイズを検出する。第２特定部２４Ｈは、判別部２４Ｅが判別した領域Ｐに配置された複数の画像形成装置１４の内、検出部２４Ｇが検出した印刷サイズの記録媒体に画像を印刷可能な画像形成装置１４を特定する。
【０１９９】
このため、情報処理装置１２は、ユーザが現在位置する領域Ｐに配置された複数の画像形成装置１４の内、ファクシミリ画像を該ファクシミリ画像の印刷サイズでサイズ変更無しに印刷可能な画像形成装置１４に、ファクシミリ情報３０Ｂを転送することができる。
【０２００】
従って、情報処理装置１２では、上記効果に加えて、更に、印刷の利便性の向上を図ることができる。
【０２０１】
また、検出部２４Ｇは、ファクシミリ画像の印刷枚数を検出してもよい。この場合、第２特定部２４Ｈは、判別部２４Ｅが判別した領域Ｐに配置された複数の画像形成装置１４の内、検出部２４Ｇが検出した印刷枚数の記録媒体の搭載された画像形成装置１４を特定する。
【０２０２】
このため、転送先の画像形成装置１４で、記録媒体の不足のために印刷が途中で止まることが抑制される。このため、情報処理装置１２では、上記効果に加えて、更に、印刷の利便性の向上を図ることができる。
【０２０３】
また、転送部２４Ｉは、取得部２４Ｄが宛先情報によって識別されるユーザの端末装置１６に、第１特定部２４Ｆが特定した画像形成装置１４へファクシミリ情報３０Ｂを転送することを示す転送前情報を送信し、該端末装置１６から転送前情報に対する確認済情報を受信したときに、特定した画像形成装置１４へファクシミリ情報３０Ｂを転送する、ことが好ましい。
【０２０４】
このため、情報処理装置１２では、上記効果に加えて、ファクシミリ情報３０Ｂを転送した画像形成装置１４側で、ファクシミリ情報３０Ｂやファクシミリ情報３０Ｂを印刷した記録媒体が放置されることを抑制することができる。
【０２０５】
また、情報処理装置１２は、第１送信部２４Ｊを更に備えることが好ましい。第１送信部２４Ｊは、第１特定部２４Ｆが特定した画像形成装置１４へファクシミリ情報３０Ｂを転送したことを示す転送済情報を、端末装置１６へ送信する。
【０２０６】
このため、端末装置１６のユーザに対して、何れの画像形成装置１４にファクシミリ情報３０Ｂが転送されたかを、容易に示すことができる。
【０２０７】
また、判別部２４Ｅが、予め定めた複数の領域Ｐの何れの領域Ｐにも、取得部２４Ｄが取得した宛先情報によって識別されるユーザの端末装置１６が現在位置しないと判別する場合がある。この場合、第１特定部２４Ｆは、印刷対象の画像形成装置１４の識別情報（画像形成装置ＩＤ）を端末装置１６から取得し、取得した該識別情報（画像形成装置ＩＤ）によって識別される画像形成装置１４を特定すればよい。
【０２０８】
このため、情報処理装置１２では、ユーザが、検知装置１８によって検知される何れの領域Ｐにも存在しない場合には、ユーザの所望の画像形成装置１４に、該ユーザ宛のファクシミリ情報３０Ｂを転送することができる。また、ユーザの意図しない画像形成装置１４へ、ファクシミリ情報３０Ｂを転送することを抑制することができる。
【０２０９】
また、本実施の形態の情報処理システム１０は、情報処理装置１２と、端末装置１６と、を備える。情報処理装置１２は、外部装置２０にネットワークを介して接続されている。端末装置１６は、情報処理装置１２にネットワークを介して接続されている。
【０２１０】
情報処理装置１２は、第１受信部２４Ｃと、取得部２４Ｄと、判別部２４Ｅと、第１特定部２４Ｆと、転送部２４Ｉと、第１送信部２４Ｊと、を備える。第１受信部２４Ｃは、ファクシミリ装置（ＦＡＸ装置２２）から電話回線を介して外部装置２０で受信したファクシミリ情報３０Ｂを、外部装置２０からネットワークを介して受信する。取得部２４Ｄは、ファクシミリ情報３０Ｂの送信先のユーザを識別する宛先情報を取得する。判別部２４Ｅは、予め定めた複数の領域Ｐの内、取得した宛先情報によって識別されるユーザの端末装置１６が現在位置する領域Ｐを判別する。第１特定部２４Ｆは、判別した領域Ｐに配置された画像形成装置１４を特定する。転送部２４Ｉは、特定した画像形成装置１４へファクシミリ情報３０Ｂを転送する。第１送信部２４Ｊは、特定した画像形成装置１４へファクシミリ情報３０Ｂを転送したことを示す転送済情報を、端末装置１６へ送信する。
【０２１１】
端末装置１６は、第２受信部４４Ｂを備える。第２受信部４４Ｂは、転送済情報を受信する。
【０２１２】
従って、本実施の形態の情報処理システム１０では、印刷の利便性の向上を図ることができる。
【０２１３】
また、端末装置１６は、受付部４４Ｄと、駆動制御部４４Ｅと、を備えることが好ましい。受付部４４Ｄは、ユーザによる確認操作を受け付ける。駆動制御部４４Ｅは、転送済情報を受信してから確認操作を受け付けるまでの期間、転送済情報の受信を示す受信音の出力および当該端末装置１６の振動の少なくとも一方を継続するように、音声を出力する音声出力部５０および当該端末装置１６を振動させる振動駆動部５２の少なくとも一方を制御する。
【０２１４】
このため、端末装置１６を操作するユーザに対して、転送済情報の受信を確実に知らせることができる。
【０２１５】
（第２の実施の形態）
図１は、本実施の形態の情報処理システム１０Ａの一例を示す図である。
【０２１６】
情報処理システム１０Ａは、情報処理装置１３と、画像形成装置１４と、端末装置１６と、検知装置１８と、を備える。情報処理装置１３は、無線または有線のネットワークを介して、検知装置１８、画像形成装置１４、および端末装置１６の各々と接続されている。
【０２１７】
なお、情報処理システム１０Ａは、情報処理装置１２に代えて情報処理装置１３を備えた以外は、第１の実施の形態と同様である。
【０２１８】
図４は、情報処理装置１３の機能構成を示すブロック図である。
【０２１９】
情報処理装置１３は、制御部２５と、記憶部２６と、ＵＩ部２８と、を備える。記憶部２６およびＵＩ部２８と、制御部２４と、は、データや信号授受可能に接続されている。制御部２５および記憶部２６は、第１の実施の形態と同様である。
【０２２０】
制御部２５は、通信部２４Ａと、更新部２４Ｂと、第１受信部２４Ｃと、取得部２４Ｄと、判別部２４Ｅと、第１特定部２４Ｆと、転送部２４Ｉと、第２送信部２５Ｋと、を含む。通信部２４Ａ、更新部２４Ｂ、第１受信部２４Ｃ、取得部２４Ｄ、判別部２４Ｅ、第１特定部２４Ｆ、転送部２４Ｉ、および第２送信部２５Ｋの一部または全ては、例えば、ＣＰＵなどの処理装置にプログラムを実行させること、すなわち、ソフトウェアにより実現してもよいし、ＩＣなどのハードウェアにより実現してもよいし、ソフトウェアおよびハードウェアを併用して実現してもよい。
【０２２１】
制御部２５は、第２送信部２４Ｋに代えて第２送信部２５Ｋを備えた以外は、第１の実施の形態の制御部２４と同様である。
【０２２２】
第２送信部２５Ｋは、ファクシミリ情報３０Ｂを転送した画像形成装置１４へ、印刷実行を指示する印刷指示を送信する。
【０２２３】
本実施の形態では、第２送信部２５Ｋは、第１特定部２４Ｆが特定した画像形成装置１４へファクシミリ情報３０Ｂが転送される前に判別部２４Ｅによって判別された領域Ｐと、該画像形成装置１４へファクシミリ情報３０Ｂが転送された後に判別部２４Ｅによって判別された領域Ｐと、が一致する場合に、印刷指示を該画像形成装置１４へ送信する。
【０２２４】
図１７は、本実施の形態の情報処理装置１３で実行する情報処理の手順を示すフローチャートである。
【０２２５】
ステップＳ６００〜ステップＳ６１６、およびステップＳ６２８〜ステップＳ６３２の処理は、第１の実施の形態（図１１のステップＳ１００〜ステップＳ１１４、ステップＳ１２２〜ステップＳ１２６参照）と同様である。
【０２２６】
すなわち、第１受信部２４Ｃが、外部装置２０から受信通知メール３０を受信したか否かを判断する（ステップＳ６００）。受信通知メール３０を受信した場合（ステップＳ６００：Ｙｅｓ）、ステップＳ６０２へ進む。
【０２２７】
ステップＳ６０２では、取得部２４Ｄが、ファクシミリ情報３０Ｂから、ファクシミリ情報３０Ｂの送信先のユーザを識別する宛先情報を取得する（ステップＳ６０２）。次に、判別部２４Ｅが、複数の領域Ｐの内、ステップＳ６０２で取得部２４Ｄが取得した宛先情報によって識別されるユーザの端末装置１６が現在位置する領域Ｐを判別する（ステップＳ６０４）。
【０２２８】
そして、ステップＳ６０４の判別結果が、何れかの領域Ｐに該端末装置１６が位置することを示す場合（ステップＳ６０６：Ｙｅｓ）、ステップＳ６０８へ進む。
【０２２９】
ステップＳ６０８では、第１特定部２４Ｆが、図１１のステップＳ１０８と同様にして、ステップＳ６０４で判別部２４Ｅが判別した領域Ｐに配置された画像形成装置１４を特定する（ステップＳ６０８）。
【０２３０】
次に、転送部２４Ｉが、ステップＳ６０２で取得した宛先情報によって識別されるユーザの端末装置１６に、ステップＳ６０８またはステップＳ６３２で特定した画像形成装置１４へファクシミリ情報３０Ｂを転送することを示す転送前情報を送信する（ステップＳ６１０）。
【０２３１】
次に、転送部２４Ｉは、ステップＳ６１０で転送前情報を送信した端末装置１６から、転送前情報に対する確認済情報を受信するまで否定判断を繰り返す（ステップＳ６１２：Ｎｏ）。そして、転送部２４Ｉは、該端末装置１６から、転送前情報に対する確認済情報を受信すると（ステップＳ６１２：Ｙｅｓ）、ステップＳ６１４へ進む。
【０２３２】
ステップＳ６１４では、転送部２４Ｉが、ステップＳ６０８またはステップＳ６３２で特定した画像形成装置１４へ、ステップＳ６００で受信した受信通知メール３０に含まれるファクシミリ情報３０Ｂを転送する（ステップＳ６１４）。
【０２３３】
次に、本実施の形態では、判別部２４Ｅが、ステップＳ６０２で取得部２４Ｄが取得した宛先情報によって識別されるユーザの端末装置１６が現在位置する領域Ｐを判別する（ステップＳ６１６）。
【０２３４】
次に、第２送信部２５Ｋが、ステップＳ６０４で判別した領域Ｐと、ステップＳ６１６で判別した領域Ｐと、が一致するか否かを判断する（ステップＳ６１８）。
【０２３５】
ステップＳ６１８において一致しない（ステップＳ６１８：Ｎｏ）と判断した場合、第２送信部２５Ｋは、上記ステップＳ６１４で転送したファクシミリ情報３０Ｂを削除する削除要求を、ステップＳ６０８またはステップＳ６３２で特定した画像形成装置１４へ送信する（ステップＳ６２０）。
【０２３６】
削除要求を受け付けた画像形成装置１４は、削除要求に示されるファクシミリ情報３０Ｂを削除する。
【０２３７】
そして、上記ステップＳ６０４へ戻る。
【０２３８】
一方、ステップＳ６１８で一致すると判断した場合（ステップＳ６１８：Ｙｅｓ）、ステップＳ６２２へ進む。
【０２３９】
制御部２５では、第１の実施の形態と同様にしてステップＳ６２２〜ステップＳ６２６の処理を実行する（図１１のステップＳ１１６〜ステップＳ１２０参照）。
【０２４０】
すなわち、転送部２４Ｉは、ステップＳ６０２で取得した宛先情報によって識別されるユーザの端末装置１６に、転送済情報を送信する（ステップＳ６２２）。
【０２４１】
次に、転送部２４Ｉは、ステップＳ６２２で転送済情報を送信した端末装置１６から、転送済情報に対する確認済情報を受信するまで否定判断を繰り返す（ステップＳ６２４：Ｎｏ）。そして、転送部２４Ｉは、該端末装置１６から、転送済情報に対する確認済情報を受信すると（ステップＳ６２４：Ｙｅｓ）、ステップＳ６２６へ進む。
【０２４２】
ステップＳ６２６では、第２送信部２５Ｋが、ステップＳ６１４でファクシミリ情報３０Ｂを転送した画像形成装置１４へ、印刷実行を指示する印刷指示を送信する（ステップＳ６２６）。印刷指示を受信した画像形成装置１４は、情報処理装置１２から転送されたファクシミリ情報３０Ｂの印刷を実行する。そして、本ルーチンを終了する。
【０２４３】
一方、上記ステップＳ６０６で否定判断すると（ステップＳ６０６：Ｎｏ）、ステップＳ６２８へ進む。そして、第１の実施の形態と同様にして、ステップＳ６２８〜ステップＳ６３２の処理を実行する（図１１の、ステップＳ１２２〜ステップＳ１２６参照）。
【０２４４】
すなわち、ステップＳ６０２で取得部２４Ｄが取得した宛先情報によって識別されるユーザの端末装置１６が、何れの領域Ｐにも位置しない場合（ステップＳ６０６：Ｎｏ）、ステップＳ６２８へ進む。
【０２４５】
ステップＳ６２８では、第１特定部２４Ｆが、印刷対象の画像形成装置１４の指示を要求する印刷対象指示要求を、ステップＳ６０２で取得した宛先情報によって識別されるユーザの端末装置１６に送信する（ステップＳ６２８）。
【０２４６】
そして、第１特定部２４Ｆは、該端末装置１６から、印刷対象の画像形成装置１４の識別情報（画像形成装置ＩＤ）を取得するまで否定判断を繰り返す（ステップＳ６３０：Ｎｏ）。
【０２４７】
そして、ステップＳ６３０で肯定判断すると（ステップＳ６３０：Ｙｅｓ）、ステップＳ６３２へ進む。ステップＳ６３２では、第１特定部２４Ｆが、ステップＳ６３０で取得した画像形成装置ＩＤによって識別される画像形成装置１４を特定する。そして、上記ステップＳ６１０へ進む。
【０２４８】
一方、上記ステップＳ６００で否定判断すると（ステップＳ６００：Ｎｏ）、ステップＳ６３４へ進む。そして、制御部２５では、第１の実施の形態の制御部２４と同様にして、ステップＳ６３４〜ステップＳ６３６の処理を実行する（図１１中、ステップＳ１２８〜ステップＳ１３０参照）。そして、本ルーチンを終了する。
【０２４９】
以上説明したように、本実施の形態の情報処理装置１３は、第１の実施の形態の情報処理装置１２の第２送信部２４Ｋに代えて、第２送信部２５Ｋを備える。第２送信部２５Ｋは、ファクシミリ情報３０Ｂを転送した画像形成装置１４へ、印刷実行を指示する印刷指示を送信する。そして、本実施の形態では、第２送信部２５Ｋは、第１特定部２４Ｆが特定した画像形成装置１４へファクシミリ情報３０Ｂが転送される前に判別部２４Ｅによって判別された領域Ｐと、該画像形成装置１４へファクシミリ情報３０Ｂが転送された後に判別部２４Ｅによって判別された領域Ｐと、が一致する場合に、印刷指示を該画像形成装置１４へ送信する。
【０２５０】
このため、本実施の形態の情報処理装置１３では、端末装置１６を保持したユーザが現在位置している領域Ｐに配置された画像形成装置１４へ、適確にファクシミリ情報３０Ｂを転送することができる。
【０２５１】
従って、本実施の形態の情報処理装置１３では、第１の実施の形態における効果に加えて、更なる利便性の向上を図ることができる。
【０２５２】
（第３の実施の形態）
次に、上記実施の形態における情報処理装置１２、１３、画像形成装置１４、端末装置１６、検知装置１８、および外部装置２０のハードウェア構成を説明する。
【０２５３】
図１８は、上記実施の形態における情報処理装置１２、１３、画像形成装置１４、端末装置１６、検知装置１８、および外部装置２０のハードウェア構成の一例を示す図である。
【０２５４】
上記実施の形態における情報処理装置１２、１３、画像形成装置１４、端末装置１６、検知装置１８、および外部装置２０は、ＣＰＵ６０、ＲＡＭ６２、ＲＯＭ６４、およびＩ／Ｆ（Ｉｎｔｅｒｆａｃｅ）６６を有する。ＣＰＵ６０、ＲＡＭ６２、ＲＯＭ６４、および、Ｉ／Ｆ６６は、バス７２により相互に接続されており、通常のコンピュータを利用したハードウェア構成となっている。また、Ｉ／Ｆ６６には、公知の表示装置や、ユーザによる各種操作を受け付ける操作部や、他の装置と通信を行う通信部などが接続されている。
【０２５５】
上記実施の形態における情報処理装置１２、１３、画像形成装置１４、端末装置１６、検知装置１８、および外部装置２０で実行される上記各種処理を実行するためのプログラムは、ＲＯＭ等に予め組み込んで提供される。
【０２５６】
なお、上記実施の形態における情報処理装置１２、１３、画像形成装置１４、端末装置１６、検知装置１８、および外部装置２０を実行するためのプログラムは、これらの装置にインストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記録されて提供するように構成してもよい。
【０２５７】
また、上記実施の形態における情報処理装置１２、１３、画像形成装置１４、端末装置１６、検知装置１８、および外部装置２０で実行される上記各種処理を実行するためのプログラムを、インターネット等のネットワークに接続されたコンピュータ上に格納し、ネットワーク経由でダウンロードさせることにより提供するように構成してもよい。また、上記実施の形態における情報処理装置１２、１３、画像形成装置１４、端末装置１６、検知装置１８、および外部装置２０で実行される上記各種処理を実行するためのプログラムを、インターネット等のネットワーク経由で提供または配布するように構成してもよい。
【０２５８】
上記実施の形態における情報処理装置１２、１３、画像形成装置１４、端末装置１６、検知装置１８、および外部装置２０で実行される上記各種処理を実行するためのプログラムは、上述した各部を含むモジュール構成となっている。実際のハードウェアとしてはＣＰＵがＲＯＭ等の記憶媒体から各プログラムを読み出して実行することにより上記各部が主記憶装置上にロードされ、主記憶装置上に生成されるようになっている。
【０２５９】
なお、上記には、実施の形態を説明したが、上記実施の形態は、例として提示したものであり、発明の範囲を限定すること、は意図していない。これら新規な実施の形態は、その他の様々な形態で実施されることが可能であり、発明の要旨を逸脱しない範囲で、種々の省略、置き換え、変更を行うことができる。これら実施の形態は、発明の範囲や要旨に含まれるとともに、特許請求の範囲に記載された発明とその均等の範囲に含まれる。
【符号の説明】
【０２６０】
１０、１０Ａ  情報処理システム
１２、１３  情報処理装置
１４、１４Ａ、１４Ｂ、１４Ｃ  画像形成装置
１６  端末装置
２０  外部装置
２２  ＦＡＸ装置
２４Ｃ  第１受信部
２４Ｄ  取得部
２４Ｅ  判別部
２４Ｆ  第１特定部
２４Ｇ  検出部
２４Ｈ  第２特定部
２４Ｉ  転送部
２４Ｊ  第１送信部
２４Ｋ、２５Ｋ  第２送信部
３０Ｂ  ファクシミリ情報
４４Ｄ  受付部
４４Ｅ  駆動制御部
５０  音声出力部
５２  振動駆動部
【先行技術文献】
【特許文献】
【０２６１】
【特許文献１】特開平８−２３７２９４号公報
【図１】
2016178541.tif 000003
【図２】
2016178541.tif 000004
【図３】
2016178541.tif 000005
【図４】
2016178541.tif 000006
【図５】
2016178541.tif 000007
【図６】
2016178541.tif 000008
【図７】
2016178541.tif 000009
【図８】
2016178541.tif 000010
【図９】
2016178541.tif 000011
【図１０】
2016178541.tif 000012
【図１１】
2016178541.tif 000013
【図１２】
2016178541.tif 000014
【図１３】
2016178541.tif 000015
【図１４】
2016178541.tif 000016
【図１５】
2016178541.tif 000017
【図１６】
2016178541.tif 000018
【図１７】
2016178541.tif 000019
【図１８】
2016178541.tif 000020